(57)【要約】【課題】  プリンター出力された用紙を簡易に製本することができる冊子の製造方法を提供しようとするもの。【解決手段】  コンピュータにより調整された内容を用紙２に出力するプリント工程と、プリントされた用紙２が冊子の構成ページ順に積層された状態でプレスして接着させるプレス工程とを有すると共に、前記用紙２は冊子の綴じ辺となる接着箇所３に感圧接着剤が付されたものである。コンピュータにより調整された内容を用紙にプリントし、前記用紙が冊子の構成ページ順に積層された状態でプレスして接着させるようにしているところ、前記用紙は冊子の綴じ辺となる接着箇所に感圧接着剤が付されたものであるので、用紙をプレス処理することにより感圧接着剤を接着させて冊子状に形成することができる。【選択図】  図１
2006315254.tif 000002
【特許請求の範囲】
【請求項１】
コンピュータにより調整された内容を用紙（２）に出力するプリント工程と、プリントされた用紙（２）が冊子の構成ページ順に積層された状態でプレスして接着させるプレス工程とを有すると共に、前記用紙（２）は冊子の綴じ辺となる接着箇所（３）に感圧接着剤が付されたものであることを特徴とする冊子の製造方法。
【請求項２】
前記プリント工程では、プリントする内容（１）を冊子の構成ページ順に出力するようにした請求項１記載の冊子の製造方法。
【請求項３】
前記プレス工程の前工程として、プリンター出力された用紙（２）を冊子としての構成ページ順に積層されるように帳合する帳合工程を有する請求項１記載の冊子の製造方法。
【請求項４】
前記プリント工程で連接２面の内容（１）が配置されるサイズの用紙（２）にプリントし、前記プレス工程で前記用紙（２）を２つに折り曲げてプレスするようにした請求項１乃至３のいずれかに記載の冊子の製造方法。
【発明の詳細な説明】
【技術分野】
【０００１】
この発明は、広告宣伝用のカタログやパンフレットその他の冊子の製造方法に関するものである。
【背景技術】
【０００２】
従来より、広告宣伝用のカタログやパンフレットなどの宣伝用冊子が使用されている。
【０００３】
例えば雑誌やカタログなどの比較的頁数の少ない本の綴じ加工として、帳合された複数の折丁の背部を針金により綴じ合わせる様式の中綴本の改良が提案されている（特許文献１参照）。この中綴本は針金の折曲げ部分が保護用紙により覆われるか隠された状態になっており、針金の折曲げ部分が浮き上がって外部に露出するのが防止されることから読者の指先が傷つけられる心配のないものとなる、というものである。
【０００４】
ところで昨今のオフィス事務環境下では、冊子を形成する用紙へのプリント（印刷）は、コンピュータにより作成したデータをプリンターに出力することによって割りに簡易に行うことができるようになってきた（ＰＯＤ）。よって、小部数の受注生産などに対してはプリンター出力に対応して製本することができるようになると大掛かりな印刷製本機械を稼働するまでのこともなくなるので、サービス形態として小回りがきく対応を行うことが可能となってくる。
【特許文献１】特開平９−７６６５９号公報（図１）
【発明の開示】
【発明が解決しようとする課題】
【０００５】
そこでこの発明は、プリンター出力された用紙を簡易に製本することができる冊子の製造方法を提供しようとするものである。
【課題を解決するための手段】
【０００６】
前記課題を解決するためこの発明では次のような技術的手段を講じている。
(１)この発明の冊子の製造方法は、コンピュータにより調整された内容を用紙に出力するプリント工程と、プリントされた用紙が冊子の構成ページ順に積層された状態でプレスして接着させるプレス工程とを有すると共に、前記用紙は冊子の綴じ辺となる接着箇所に感圧接着剤が付されたものであることを特徴とする。
【０００７】
この冊子の製造方法によると、コンピュータにより調整された内容を用紙にプリントし、前記用紙が冊子の構成ページ順に積層された状態でプレスして接着させるようにしているところ、前記用紙は冊子の綴じ辺となる接着箇所に感圧接着剤が付されたものであるので、用紙をプレス処理することにより感圧接着剤を接着させて冊子状に形成することができる。
【０００８】
前記用紙の冊子の綴じ辺となる接着箇所に感圧接着剤が付されるのは、プリント前としてもよいしプリント後とプレス前との間としてもよい。
【０００９】
ここで複数葉の用紙として、例えば４葉の場合は４枚の用紙としてもよいし、倍の大きさの２枚の用紙にプリントしこれを折り曲げて４葉にしてプレスしてもよい。また前記感圧接着剤は、通常の状態では接着せず接着剤面を対向させ圧をかけることで接着するものとすることができる。
【００１０】
（２）前記プリント工程前に、プリントする内容をコンピュータにより調整するプリントデータ作成工程を有することとし、依頼主からの依頼内容に応じ製本業者側がプリントする内容をコンピュータにより調整してプリントデータを作成し、引き続きプリントしプレスし製本することができる。
【００１１】
一方、プリントデータの作成を依頼主の方で行って前記データをインターネットや情報記録媒体（ＣＤやＤＶＤ等）を通じて製本業者へ伝達し、製本業者で（必要に応じて若干のデータ調整を行い）プリントやプレス・冊子状への製本を行うこともできる。プリントやプレス・冊子状への製本は製本業者側で行う方が格段にきめ細かく美しく仕上げることができる。
【００１２】
（３）前記プリント工程では、プリントする内容を冊子の構成ページ順に出力するようにしたこととしてもよい。このように構成すると、プリント後には用紙葉は冊子の構成ページ順に並んでいるのでそのままの順番で複数部の冊子をまとめて又は１部づつプレスし製本することができる。
【００１３】
（４）前記プレス工程の前工程として、プリンター出力された用紙を冊子としての構成ページ順に積層されるように帳合する帳合工程を有することとしてもよい。
【００１４】
このように構成すると、冊子を構成する用紙葉として１枚目ばかり、２枚目ばかり、３枚目ばかり…をそれぞれ一遍にプリントしておき、これらの各用紙葉から冊子の構成ページ順に帳合して複数部の冊子をまとめて又は１部づつプレスし製本することができる。
【００１５】
なお、帳合時に全ての用紙がプリンター出力された用紙である必要はなく、例えば２葉目を通常のプリンター出力ではないオフセット印刷された用紙とするといった組合せとしてもよい。 
【００１６】
(５) 前記プリント工程で連接２面の内容が配置されるサイズの用紙にプリントし、前記プレス工程で前記用紙を２つに折り曲げてプレスするようにしたこととしてもよい。
【００１７】
このように構成すると、例えばＡ３版サイズ（冊子を２面配置する用紙サイズ）にプリントして帳合まで進め、略中央で２つに折り曲げた状態でプレスし接着することよりＡ４版サイズの通信広告冊子を形成することができる。
【発明の効果】
【００１８】
この発明は上述のような構成であり、次の効果を有する。
【００１９】
用紙をプレス処理することにより感圧接着剤を接着させて冊子状に形成することができるので、プリンター出力された用紙を簡易に製本することができる冊子の製造方法を提供することができる。よって、小部数の受注生産などに対してデジタルデータをプリンター出力して製本することができ製版工程を経ずに直接印刷することができ大掛かりな印刷製本機械を稼働するまでのこともなく、サービス形態として小回りがきく対応を行うことが可能となる。
【発明を実施するための最良の形態】
【００２０】
以下、この発明の実施の形態を図面を参照して説明する。
【００２１】
図１乃至図３に示すように、この実施形態の冊子（３葉からなる商品カタログとした）の製造（製本）方法は、次の各工程を有する。
【００２２】
（1）プリントデータ作成工程…商品カタログとしてプリントする内容１をコンピュータ（パソコン等）により調整する。（2）カラー・プリント工程…コンピュータにより調整された内容をプリントオンデマンド（ＰＯＤ）で用紙２にプリンター出力する。（3）プレス工程（図２参照）…カラー・プリントされた用紙２が冊子の構成ページ順に積層された状態でプレスして接着させる。図２に示すように、前記用紙２は冊子の綴じ辺となる接着箇所３に感圧接着剤が付されたものである。
【００２３】
前記感圧接着剤は、通常の状態（常温・常圧）では接着しないが接着面を対向させ圧をかけてプレスすることにより接着するものである。先頭葉４の表面と最終葉５の裏面には感圧接着剤は塗布していない。用紙２に感圧接着剤を塗布するのは（2）カラー・プリント工程前（元々の用紙２そのものの接着箇所３に予め塗布されている）としてもよいし、
（2）カラー・プリント工程と（3）プレス工程との間（カラー・プリント後に塗布する）としてもよい。
【００２４】
前記（2）カラー・プリント工程前の（1）プリントデータ作成工程では、カタログ作成の依頼主からの依頼内容に応じ、製本業者側がプリントする内容１をコンピュータにより調整してプリントデータを作成する。なお、プリントデータの作成を依頼主の方で行って、前記データをインターネットや情報記録媒体（ＣＤやＤＶＤ等）を通じて製本業者へ伝達し、製本業者で必要に応じて若干のデータ調整を行いカラー・プリントやプレス、冊子状への製本を行うこともできる。プリントやプレス、冊子状への製本は製本業者側で行う方が格段にきめ細かく美しく仕上げることができる。
【００２５】
前記（3）プレス工程ではカラー・プリントされた用紙２が冊子の構成ページ順に積層された状態でプレスして接着させるのであるが、用紙２が冊子の構成ページ順に積層された状態とするためには次の２つの態様がある。第１の態様は、前記（2）カラー・プリント工程で、プリントする内容１を冊子の構成ページ順に出力することにより（３葉構成の冊子の場合その１枚目、２枚目、３枚目、１枚目、２枚目、３枚目、…の順番で繰り返しプリントしていく）、プリント後には用紙葉は冊子の構成ページ順に並んでいるようにするものであり、このままの順番で複数部の冊子をまとめて又は１部づつプレスし製本することができる。
【００２６】
第２の態様は、前記（3）プレス工程の前工程として、プリンター出力された用紙２を冊子としての構成ページ順に積層されるように帳合する帳合工程を有するようにするものである。すなわち、例えば３葉構成の冊子を構成する用紙葉として１枚目ばかり、２枚目ばかり、３枚目ばかり…をそれぞれ一遍にプリントしておき、これらの各用紙葉から冊子の構成ページ順に選択して積層し、複数部の冊子をまとめて又は１部づつプレスし製本することができる。帳合機能とは、用意された部材用紙２の各集積から冊子のページ順となるように選択して積層する機能である。人手で行うことができるが、自動制御機構を持った機械的な帳合機を用いることもできる。この機能はカット紙用コンピュータデータ出力プリンタの場合、プリンタの給紙機構とそれに指示を出す機構とでも実現できる。なお、帳合時に全ての用紙２がプリンター出力された用紙２である必要はなく、例えば２葉目を通常のプリンター出力ではないオフセット印刷された用紙２とするといった組合せとしてもよい。
【００２７】
次に、この実施形態の冊子の製造方法の使用状態を説明する。
【００２８】
この冊子の製造方法によると、コンピュータにより調整された内容を用紙２にプリントし、前記用紙２が冊子の構成ページ順に積層された状態でプレスして接着させるようにしているところ、前記用紙２は冊子の綴じ辺となる接着箇所３に感圧接着剤が付されたものであるので、用紙２をプレス処理することにより感圧接着剤を接着させて冊子状に形成することができ、プリンター出力された用紙２を簡易に製本することができるという利点がある。
【００２９】
よって、小部数の受注生産などに対してデジタルデータをプリンター出力して製本することができ製版工程を経ずに直接印刷することができ大掛かりな印刷製本機械を稼働するまでのこともなく、サービス形態として小回りがきく対応を行うことが可能となる。
【実施例】
【００３０】
次に、この発明の構成をより具体的に説明する。
【００３１】
冊子として、図４に示すような４葉構成の商品カタログを製造した。
【００３２】
綴じ辺となる接着箇所３に感圧接着剤が予め塗布されている４枚のＡ４版の用紙２（先頭葉４の表面と最終葉５の裏面には感圧接着剤は塗布していない）に、コンピュータにより調整された内容を用紙２に出力する（2）カラー・プリント工程で両面カラー・プリントした。
【００３３】
この４枚構成の冊子では先頭葉４と最終葉５以外の用紙２として異なる種類のものを用い、１辺縁で接着して連結している。感圧接着剤は、接着箇所３では対面する用紙２の双方に塗布している。前記感圧接着剤として、水性エマルジョンタイプの天然ゴム主成分のラテックス系のもの（サイデン化学社製、商品名ＭＵＸ−１０１）を用いた。
【００３４】
そして（3）プリントされた用紙２が冊子の構成ページ順に積層された状態でプレスして接着させるプレス工程で、平綴じして接着することによりＡ４サイズの４葉構成の冊子（商品カタログ）を製造した。この（3）プレス工程では、ページ順に並んだ複数部数分（４枚×部数分）の冊子構成用紙２をプレス圧を受け止める圧着プレス定置盤６に載置し、圧着プレス盤７により加圧した（図２参照）。プレス工程では、１００Ｋｇ／ｃｍ２強程度の圧力をかけた。プレス機構として、印刷業界の断裁装置の用紙クランプ機能を用いることができる。接着力をより強くしたい場合はその後圧着処理機に通してもよく、例えばカット紙処理用圧着はがき処理機などを用いることができる。
【００３５】
なお、前記のような平綴じではなく、冊子の綴じ辺となる接着箇所に感圧接着剤が予め塗布されているＡ３版（Ａ４版の倍のサイズ）の２枚の用紙に（2）カラー・プリント工程で両面カラー・プリントし、これを２つに折り曲げ、（3）プレス工程で中綴じして接着するによってＡ４サイズの４葉の冊子を製造することもできる。
【産業上の利用可能性】
【００３６】
プリンター出力された用紙を簡易に製本することができ、小部数の受注生産などに対してデジタルデータをプリンター出力して製本することができ製版工程を経ずに直接印刷することができ大掛かりな印刷製本機械を稼働するまでのこともなくサービス形態として小回りがきく対応を行うことが可能となることによって、種々の冊子製造の用途に適用することができる。
【図面の簡単な説明】
【００３７】
【図１】この発明の冊子の製造方法の実施形態を説明する図。
【図２】この発明の冊子の製造方法の実施形態でプレス工程を説明する図。
【図３】この発明の冊子の製造方法の実施形態を説明する冊子の斜視図。。
【図４】この発明の冊子の製造方法の実施例を説明する冊子の斜視図。
【符号の説明】
【００３８】
１  プリントする内容
２  用紙
３  接着箇所
【図１】
2006315254.tif 000003
【図２】
2006315254.tif 000004
【図３】
2006315254.tif 000005
【図４】
2006315254.tif 000006